(57)【要約】【課題】ランプ装着の安全性および信頼性を向上することができる片口金用ランプソケットおよび照明器具を提供する。【解決手段】連結用のランプ保持部２と回転位置決め部３とを有する片口金ランプ４を、相合わせかつ一方向に回転させて装着するバヨネット結合方式である。片口金ランプ４を相合わせかつ一方向に回転したときにランプ保持部２を合わせ方向と反対方向に対して抜止め係止するランプ保持部受け部１６を有する。また片口金ランプ４を相合わせかつ一方向に回転したときに回転位置決め部３を回転方向と反対方向に対して係脱自在に位置決め係止する位置決め受け部１７を有する。さらに片口金ランプ４を相合わせたとき片口金ランプ４を仮保持可能なランプ仮保持用ばね３０を有する。【選択図】        図１
2005310393.tif 000002
【特許請求の範囲】
【請求項１】
連結用のランプ保持部と回転位置決め部とを有する片口金ランプを、相合わせかつ一方向に回転させて装着するバヨネット結合方式の片口金ランプ用ソケットであって、前記片口金ランプを相合わせかつ前記一方向に回転したときに前記ランプ保持部を合わせ方向と反対方向に抜止め係止するランプ保持部受け部と、前記片口金ランプを相合わせかつ前記一方向に回転したときに前記回転位置決め部を回転方向と反対方向に係脱自在に位置決め係止する位置決め受け部と、前記片口金ランプを相合わせとき前記片口金ランプを仮保持可能なランプ仮保持用ばねとを備えた片口金ランプ用ソケット。
【請求項２】
差し込み用溝と回転用溝からなり前記片口金ランプを片口金ランプ用ソケットに対してガイドするための略Ｌ字状の溝を、前記片口金ランプおよび片口金ランプ用ソケットの一方に形成し、前記片口金ランプを相合わせかつ前記一方向に回転する際に前記溝を摺動する突起を他方に形成した、相互に嵌合する構成の片口金ランプおよび片口金ランプ用ソケットの組み合わせに適用される片口金ランプ用ソケットであって、前記ランプ仮保持用ばねは前記突起を前記差し込み用溝に摺動させたとき前記回転用溝に弾性係合して前記片口金ランプを仮保持する請求項１記載の片口金ランプ用ソケット。
【請求項３】
前記回転位置決め部が前記位置決め受け部に位置決めされた状態で前記片口金ランプの前記回転方向と反対方向の回転を妨げる力を前記片口金ランプに作用するランプ支持ばねを有し、前記ランプ仮保持用ばねは、前記片口金ランプを相合わせたとき前記片口金ランプを前記一方向に回転させて前記ランプ保持部を前記ランプ保持部受け部に仮保持する請求項１記載の片口金ランプ用ソケット。
【請求項４】
差し込み用溝と回転用溝からなり前記片口金ランプを片口金ランプ用ソケットに対してガイドするための略Ｌ字状の溝を、前記片口金ランプおよび片口金ランプ用ソケットの一方に形成し、前記片口金ランプを相合わせかつ前記一方向に回転する際に前記溝を摺動する突起を他方に形成した、相互に嵌合する構成の片口金ランプおよび片口金ランプ用ソケットの組み合わせに適用される片口金ランプ用ソケットであって、前記ランプ仮保持用ばねは前記突起を前記差し込み用溝に摺動させたとき前記仮保持用ばねが前記ランプ保持部に当接して前記片口金ランプを前記一方向に回転させ、前記突起が回転用溝に係合して前記片口金ランプを仮保持する請求項１または請求項３記載の片口金ランプ用ソケット。
【請求項５】
前記ランプ仮保持用ばねの前記回転方向への押し付け力は、前記ランプ支持ばねの押し付け力よりも大きい請求項３または請求項４記載の片口金ランプ用ソケット。
【請求項６】
前記ランプ仮保持用ばねと前記ランプ支持ばねは片持ちばねに一体的に形成され、前記ランプ仮保持用ばね側に前記片持ばねの支持部を設けた請求項３、請求項４または請求項５記載の片口金ランプ用ソケット。
【請求項７】
前記片口金ランプが回転中心に対して一直径線上に配置された複数のランプピンを有するものであり、前記片口金ランプを相合わせかつ前記一方向に回転することにより前記ランプピンに接触するように直線状に配置されたランプ端子を有し、前記ランプ支持ばねは、前記ランプ端子の並び方向と略直交する方向に設けた請求項かから請求項６のいずれか一項記載の片口金ランプ用ソケット。
【請求項８】
ボディとカバーからなる片口金ランプ用ソケットであって、前記ランプ仮保持用ばねと前記ランプ支持ばねは一体に形成されるとともに、前記ボディと前記カバーを連結する連結片を設けた請求項３から請求項７までのいずれか一項記載の片口金ランプ用ソケット。
【請求項９】
請求項１から請求項８までのいずれか一項記載の片口金ランプ用ソケットを有する照明器具。
【発明の詳細な説明】
【技術分野】
【０００１】
本発明は、例えばランプ回転取付方式すなわちバヨネット結合方式の高ワットで大型サイズの片口金蛍光灯ソケットなどの片口金ランプ用ソケットおよび照明器具に関するものである。
【背景技術】
【０００２】
近年、HIDランプの代替光源として片口金蛍光ランプの高ワットおよび大形サイズ化が進んでおり、そのためランプ保持の確実性を向上させる必要が出てきている。
【０００３】
従来のHIDランプはねじ込み型が多く、そのためランプソケットへの装着時のねじ込み回転数が多いので、多少ランプの締付けがあまくてもランプの落下にいたる可能性は非常に少なかった。
【０００４】
一方、従来例の片口金蛍光灯ソケットには、片口金ランプをランプソケットに差し込み回転して装着するバヨネット式のものがあった。例えば図１９および図２０に示すように、ランプソケット１００の中心に中央凹所１０１を設け、片口金ランプ１０２に中央凹所１０１に嵌合する柱状突起１０３を設け、ランプソケット１００の周縁に複数のランプ保持部受け部用の突起１０４を設け、片口金ランプ１０２に突起１０４を嵌める複数のランプ保持用溝部１０５を形成したランプ保持部１０６を設ける。これにより片口金ランプ１０２をランプソケット１００に差し込み回転させて保持する。さらに、ランプソケット１００にはランプ回転位置決め部受け部用の係止凹部１０７が形成されており、一方片口金ランプ１０２にはランプ回転位置決め部用の凸部１０８が形成されている。凸部１０８は口金面に形成された弾性変形ばね１０９に形成され、弾性変形ばね１０９は通常樹脂製の口金に一体的に形成されている。この場合、ランプ回転方向と反対方向の回転による外れ防止は、片口金ランプ１００に形成された弾性変形ばね１０９に設けられた凸部１０８と、ランプソケット１０２の係止凹部１０７との係合に１００％依存している。なお、１１０はランプ端子、１１１はランプ端子１１０に接触するランプピン、１１２はワット識別用突起、１１３はワット識別用溝である。
【０００５】
また係止凹部１０７、凸部１０８およびばね部１０９に代えて、ランプ保持用溝部１０５に突起１０４を弾性係止させる弾性係止片を一体に形成したものもあった（特許文献１参照）。
【特許文献１】特開２００１−９３６３１
【発明の開示】
【発明が解決しようとする課題】
【０００６】
従来のランプソケットおよびランプでは、ランプ着脱時のクリック感触を向上させるために弾性変形ばね１０９や弾性係止片の強度を強くすると破損しやすくなり、長期高温使用による弾性変形ばね１０９を形成する樹脂の劣化や、異常操作により凸部１０８等が万一破損した場合には、ランプ端子１１０の保持力のみとなるため、種々の振動状態（微振動含む）では、徐々にずれて片口金ランプ１００が落下する恐れがあった。
【０００７】
また、中途半端なランプ回転装着状態では、片口金ランプ１００が完全に取り付けられていないにもかかわらず、片口金ランプ１００が保持され、施工中や使用中に振動等により片口金ランプ１００が落下する危険性がある。
【０００８】
特に片口金ランプ１００が大形サイズ化している昨今では、重要な問題である。
【０００９】
したがって、本発明の目的は、ランプ装着の安全性および信頼性を向上することができる片口金用ランプソケットおよび照明器具を提供することである。
【課題を解決するための手段】
【００１０】
本発明の片口金ランプ用ソケットは、連結用のランプ保持部と回転位置決め部とを有する片口金ランプを、相合わせかつ一方向に回転させて装着するバヨネット結合方式である。前記片口金ランプを相合わせかつ前記一方向に回転したときに前記ランプ保持部を合わせ方向と反対方向に抜止め係止するランプ保持部受け部を有する。また前記片口金ランプを相合わせかつ前記一方向に回転したときに前記回転位置決め部を回転方向と反対方向に係脱自在に位置決め係止する位置決め受け部を有する。さらに前記片口金ランプを相合わせとき前記片口金ランプを仮保持可能なランプ仮保持用ばねを有する。
【００１１】
上記構成において、片口金ランプ用ソケットは、相互に嵌合する構成の片口金ランプおよび片口金ランプ用ソケットの組み合わせに適用される。差し込み用溝と回転用溝からなり前記片口金ランプを片口金ランプ用ソケットに対してガイドするための略Ｌ字状の溝を、前記片口金ランプおよび片口金ランプ用ソケットの一方に形成し、前記片口金ランプを相合わせかつ前記一方向に回転する際に前記溝を摺動する突起を他方に形成している。前記ランプ仮保持用ばねは前記突起を前記差し込み用溝に摺動させたとき前記回転用溝に弾性係合して前記片口金ランプを仮保持する。
【００１２】
上記構成において、前記回転位置決め部が前記位置決め受け部に位置決めされた状態で前記片口金ランプの前記回転方向と反対方向の回転を妨げる力を前記片口金ランプに作用するランプ支持ばねを有する。前記ランプ仮保持用ばねは、前記片口金ランプを相合わせたとき前記片口金ランプを前記一方向に回転させて前記ランプ保持部を前記ランプ保持部受け部に仮保持する。
【００１３】
上記構成において、相互に嵌合する構成の片口金ランプおよび片口金ランプ用ソケットの組み合わせに適用される片口金ランプ用ソケットである。差し込み用溝と回転用溝からなり前記片口金ランプを片口金ランプ用ソケットに対してガイドするための略Ｌ字状の溝を、前記片口金ランプおよび片口金ランプ用ソケットの一方に形成し、前記片口金ランプを相合わせかつ前記一方向に回転する際に前記溝を摺動する突起を他方に形成している。前記ランプ仮保持用ばねは前記突起を前記差し込み用溝に摺動させたとき前記仮保持用ばねが前記ランプ保持部に当接して前記片口金ランプを前記一方向に回転させ、前記突起が回転用溝に係合して前記片口金ランプを仮保持する。
【００１４】
上記構成において、前記ランプ仮保持用ばねの前記回転方向への押し付け力は、前記ランプ支持ばねの押し付け力よりも大きい。
【００１５】
上記構成において、前記ランプ仮保持用ばねと前記ランプ支持ばねは片持ちばねに一体的に形成され、前記ランプ仮保持用ばね側に前記片持ばねの支持部を設けている。
【００１６】
上記構成において、前記片口金ランプが回転中心に対して一直径線上に配置された複数のランプピンを有するものであり、前記片口金ランプを相合わせかつ前記一方向に回転することにより前記ランプピンに接触するように直線状に配置されたランプ端子を有する。前記ランプ支持ばねは、前記ランプ端子の並び方向と略直交する方向に設けている。
【００１７】
上記構成において、ボディとカバーからなる片口金ランプ用ソケットであって、前記ランプ仮保持用ばねと前記ランプ支持ばねは一体に形成されるとともに、前記ボディと前記カバーを連結する連結片を設けたものである。
【００１８】
本発明の照明器具は、上記構成の片口金ランプ用ソケットを有する。
【発明の効果】
【００１９】
本発明の片口金ランプ用ソケットによれば、ランプ装着初期段階で意図的にランプを仮保持状態とするランプ仮保持用ばねを設けることにより、ランプ装着作業時の中途半端な装着によるランプの落下の危険性をなくすことができ、ランプ装着の安全性と信頼性を向上させることができる。
【００２０】
ランプ回転方向と反対方向の回転による片口金ランプの外れ防止として、片口金ランプに形成された回転位置決め部と片口金ランプ用ソケットの位置決め受け部との係止以外に、ランプ支持ばねを設けて、片口金ランプが装着完了した時に、位置決め部が位置決め受け部に位置決めされた状態で、片口金ランプの外れ方向への回転を妨げる力を作用させたため、ランプ装着の安全性と信頼性を向上させることができる。また回転位置決め部または位置決め受け部が使用時に万一破損した場合でも、ランプ支持ばねでランプを保持できるので安全である。
【００２１】
片口金ランプを差し込んだとき、ランプ仮保持用ばねで片口金ランプを回転させて突起を回転用溝に係合して仮保持すると、片口金ランプの仮保持を確実に行なえるので安全性が確保できる。このときランプ支持ばねは直接ランプ重量を支える必要はない。
【００２２】
ランプ仮保持用ばねの片口金ランプの回転方向への押し付け力を、ランプ支持ばねの同方向の押し付け力よりも大きくすると、片口金ランプの回転による着脱操作性を阻害することなく、仮保持の実施が可能である。
【００２３】
ランプ仮保持用ばねとランプ支持ばねは片持ちばねに一体的に形成し、ランプ仮保持用ばね側に支持部を設けると、小型で低コストで効率的にランプ仮保持用ばねの回転方向への押し付け力を大きくすることができる。
【００２４】
ランプ支持ばねを、直線状に配置された複数のランプピンに接触するランプ端子と略直交する位置に設けると、ランプ保持性を最も向上させることができる。
【００２５】
一体に形成されたランプ仮保持用ばねとランプ支持ばねに、ランプソケットのボディとカバーを連結するための連結片を設けると、ボディおよびカバーより相互に連結するための係合爪を形成する必要がなく、組立工程での破損等が生じることがなく組立性が向上する。また、ランプの発熱をソケットカバー側へより伝達することができ、ランプ口金の温度上昇を防止することができる。
【発明を実施するための最良の形態】
【００２６】
本発明の第１の実施の形態を図１から図１２により説明する。すなわち、照明器具において片口金ランプ用ソケット１は、連結用のランプ保持部２と回転位置決め部３とを有する片口金ランプ４を、差し込みかつ一方向に回転させて装着するバヨネット結合方式の構造を有する。
【００２７】
まず、片口金ランプ４について説明する。樹脂製の柱状のランプ口金５の上面に８本のランプバルブ６を立設し、下面の中央に柱状突起７を突設している。柱状突起７の周面に片口金ランプ４の差し込み回転をガイドする差し込み用溝８ａと回転用溝８ｂからなる略Ｌ字状の溝８を形成している。この溝８はワット識別兼用である。柱状突起７を中心とする一直径線上の柱状突起７の両側に複数すなわち２本ずつ合計４本のランプピン９が立設されている。ランプ保持部２はランプ口金５の下面の周縁の４箇所すなわちランプピン９の並び方向およびそれに直交する方向の周縁に突設され、ランプ保持部２に片口金ランプ４の装着時の回転方向側および中心方向に開口するランプ保持用溝部２ａが形成されている。回転位置決め部３はランプ口金５の下面でランプピン９の並び方向と直交する方向のランプ保持部２と柱状突起７との間に形成され、係止用凸部３ａと、係止用凸部３ａの両側にスリット３ｂを形成することによりスリット３ｂ間に形成された樹脂による弾性変形ばね３ｃとからなる。弾性変形ばね３ｃにより、係止用凸部３ａに突出方向の弾性を付与している。
【００２８】
片口金ランプ用ソケット１について説明する。すなわち、片口金ランプ用ソケット１は、下面開口のボディ１１と下面開口を塞ぐカバー１２からなる。ボディ１１はランプ口金５のランプ保持部２の内側に入る直径を有する有天筒形であり、ボディ１１の中央に柱状突起７を回転可能に差し込ませる凹部１３を有し、凹部１３の両側に各ランプピン９が挿入される円弧状のランプピン挿入孔１４を有する。凹部１３の内周面には溝８に案内されるワット識別兼用の突起１５が突設されている。したがって、ワット識別が合う場合、片口金ランプ４の柱状突起７を凹部１３に差し込む際に溝８の差し込み用溝８ａに突起１５が案内され、さらに片口金ランプ４を回転するとき回転用溝８ｂに突起１５が案内される。
【００２９】
ランプ保持部２に対応してランプ保持用溝部２ａに入る保持部受け部１６をボディ１１の周面より外方に舌状に突設している。これにより、片口金ランプ４を差し込みかつ一方向に回転したときに、ランプ保持部受け部１６がランプ保持用溝部２ａに嵌合してランプ保持部２を差し込み方向と反対方向に抜止め係止する。また回転位置決め部３に対応して位置決め部受け部１７を設けている。位置決め部受け部１７は凹部１３を中心とする周方向の長溝１７ａとそのほぼ中央に設けた突起１７ｂからなる。これにより、片口金ランプ４を差し込みかつ一方向に回転したときに回転位置決め部３の係止用凸部３ａが長溝１７ａ内で弾性変形ばね３ｃにより突起１７ｂを乗り越えて回転方向と反対方向に位置決め係止する。なお片口金ランプ４の回転装着完了位置での回転方向に対する規制は、保持部受け部１６のランプ回転方向の後端部にランプ保持部２のランプ保持用溝部２ａの後端部が係止するか、またはランプ保持部受け部１６の支持部１６ａにランプ保持部２の回転方向の先端が係止することより行われる。カバー１２にはボディ１１内に嵌まるランプ端子２８がカバー１２の取付部２９に取付けられ、ランプ端子２８に速結端子２５が設けられ、カバー１２に設けた電線挿入孔３３より挿入された電線を速結端子２５に接続するようにしている。カバー１２でボディ１１の下面開口を閉じた状態でランプ端子２８がランプピン挿入孔１４の内側に配置され、ランプピン挿入孔１４に挿入されたランプピン９はランプ端子２８に挟持されて接触することができる。
【００３０】
ランプ支持ばね３１は、ボディ１１の外周面のランプ端子２８の並び方向と直交する方向の一対のランプ保持部受け部１６のランプ回転方向の後端側近傍に配設される。ランプ支持ばね３１は例えば板ばねを略Ｌ字形に折曲し、その一片１９の中間部に段部３２を設けており、回転位置決め部３が位置決め受け部１７に位置決めされた状態すなわちランプ装着位置で、段部３２によりランプ保持部２の後端角部をランプ回転方向および差し込み方向の各反対方向を含む斜め方向に押し付けている。これにより、片口金ランプ２の回転方向と反対方向の回転を妨げる力を片口金ランプ２に作用するとともにランプ保持部２と保持部受け部１６間のがたつきを防止する。ランプ支持ばね３１の他片２０は連結片１８と一体で側部が連結片１８より直角に折曲されて連接されており、一片１９は連結片１８の上端部に沿って延出している。連結片１８はその上下に、それぞれ相対向側すなわち連結片１８の中心側に向けて切起こした固定用切起し片２１、２２を形成している。ボディ１１の周面には他片２０を支持して一片１９がボディ１１の周面から外方に離れるのを防止する突片３４を形成するとともに、連結片１８を収納する凹部３５を形成し、さらに連結片１８の両肩部を差し込ませる溝３６および固定用切起し片２１を係止する固定部２３を凹部３５に凹設している。またカバー１２に連結片１８の下端部を差し込ませるスリット２４を形成し、スリット２４内に固定用切起し片２２に引っ掛かる固定部を形成している。これにより、ボディ１１とカバー１２を連結片１８により連結するとともに連結片１８を片口金ランプ用ソケット１に取付けている。
【００３１】
ランプ支持ばね３１の一片１９の段部３２よりも他片２０側は、片口金ランプ４を差し込んだとき片口金ランプ４を仮保持可能なランプ仮保持用ばね３０としている。ランプ仮保持用ばね３０は、ランプ保持部２１をランプ回転方向に案内するように他片２０との連結側から段部３２にかけて傾斜しており、片口金ランプ４を片口金ランプ用ソケット１に差し込んだときにランプ保持部２１を回転させてランプ保持部２１をランプ保持部受け部１６に部分的に係合して仮保持する。またこれと同時に、凹部１３の突起１５が柱状突起７の溝８の差し込み用溝８ａから回転用溝８ｂに係合して片口金ランプ４を仮保持する。
【００３２】
上記した板ばねは一片１９が連結片１８によりボディ１１に支持された片持ばねであり、上記のようにランプ仮保持用ばね３０とランプ支持ばね３１を片持ちばねに一体的に形成し、ランプ仮保持用ばね３０側を連結片１８のある支持部としている。このためランプ仮保持用ばね３０のランプ保持部２の回転方向への押し付け力Ｐ１は、ランプ支持ばね３１の押し付け力Ｐ２よりも大きくなっている（図８、図９参照）。仮にランプ仮保持用ばね３２のばね力を、ランプ仮保持用ばね３２のばね力＝ランプ支持ばね３１のばね力にすると、ランプ完全装着状態が固すぎるか、ランプ仮保持状態のばね力が低すぎて機能しないなどの問題が生じる可能性がある。ランプ回転方向の押付け力すなわち回転方向と反対に回転するために要する力はランプ完全装着状態において、ランプ端子２８の接触摩擦抵抗＋ランプ支持ばね３１のばね力である。
【００３３】
なお、４０はソケット取付用孔、４１はランプ支持ばね３１の先端に対向してボディ１１のランプ保持部受け部１６の下側に設けられランプ支持ばね３１の塑性変形を防止するばねストッパである。
【００３４】
片口金ランプ４の装着について説明する。図３は片口金ランプ４を片口金ランプ用ソケット１に差し込んだ状態である（図５から図６）。このとき、ワット識別が合っていると、ワット識別兼用突起１５が溝８に摺動可能となり、柱状突起７が凹部１３に嵌合する。またランプピン９がランプピン挿入孔１４に挿入される。差し込み終端付近でランプ保持部２がランプ仮保持用ばね３０に当接しランプ仮保持用ばね３０が弾性変形してランプ保持部２が回転力を受けるとともに片口金ランプ４の回転のためのスペースが得られる。このとき、片口金ランプ４は、突起１５が差し込み用溝８ａに規制されるため回転せず（図７参照）、回転用溝８ｂに位置したところで回転を始め突起１５が回転用溝８ｂに係合するとともに、図４（ａ）および図８のようにランプ保持部２のランプ保持用溝部２ａがランプ保持部受け部１６に部分的に係合し、これらにより片口金ランプ４が仮保持される。
【００３５】
図４（ｂ）は仮保持状態から片口金ランプ４を回転してランプ保持部２をランプ保持部受け部１６に完全に係止した状態である。このとき、ランプピン９がランプ端子２８に挟持されて電気接触状態となり、回転位置決め部３の係止用凸部３ａが弾性変形ばね３ｃの弾性により位置決め受け部１７の突起１７ｂを乗り越えて係合し、ほぼその位置が片口金ランプ４の回転完了位置となりランプ保持部２が保持部受け部１６に係止して回転規制される。これらと同時にランプ保持部２は段部３２を越えてランプ支持ばね３１の段部３２の付近でランプ保持部２の後端角部が押圧される。このようにランプ保持部２をランプ支持ばね３１で斜めに押圧することにより回転方向と反対方向の回転を妨げるとともにランプ保持部２を保持部受け部１６に押付け、これによりがたつきのない安定した取付けを可能にしている。その結果、片口金ランプ４が装着完了した位置で、ランプ支持ばね３１でランプ保持部２を押し付けることにより、ランプピン９とランプ端子２８の間の振動や動きが防止でき、振動が加わる場所での使用においても、ランプピン９とランプ端子２８の接触がずれないので接触信頼性が向上する。
【００３６】
片口金ランプ４の装着を取り外すときは、上記の逆の工程を行う。すなわち片口金ランプ４を逆に回転すると、ランプ保持部２がランプ支持ばね３１の段部３２を押してランプ支持ばね３１を弾性変形させながら段部３２を乗り越えて仮保持用ばね３０に移動し、ランプピン９がランプ端子２８から外れ、ランプ回転位置決め部３が位置決め部受け部１７を乗り越えてクリック感触が発生する。外し方向の回転の勢いによりランプ仮保持用ばね３０を押してランプ保持部２が保持部受け部１６から外れるとともに、突起１５が回転用溝８ｂから差し込み用溝８ａに位置して片口金ランプ４を片口金ランプ用ソケット１から外すことができる。
【００３７】
図１０から図１２は、ランプ支持ばね３１を、直線状に配置されたランプピン９に接触するランプ端子２８の並び方向と略直交する位置に設けた構成を図示する。この結果、図１１に示す矢印の方向の片口金ランプ４のがたつきは、片口金ランプ用ソケット１の保持部受け部１６がランプ保持用溝部２ａに嵌まり、ランプ保持部２をランプ支持ばね３１で押さえていることにより規制される。すなわち、その一方向はランプ保持部２をランプ支持ばね３１で押さえており、他方向はランプ保持部受け部１６がランプ保持部２のストッパの役目をしている。また図１２に示す矢印の方向のがたつきは、複数のランプピン９をランプ端子２８が挟持していることにより生じにくい。
【００３８】
本実施の形態によれば、片口金ランプ４の回転方向と反対方向の回転による外れ防止のため、ランプ口金５に形成された弾性変形ばね３ｃに設けられた係止用凸部３ａと片口金ランプ用ソケット１の長溝１７ａの突起１７ｂとの係合以外に、ランプ支持ばね３１を設けている。このランプ支持ばね３１により、片口金ランプ４の外れ方向への回転を妨げる力を作用させているため、ランプ装着の安全性を向上させることに加えて、ランプ装着初期段階で意図的に片口金ランプ４を仮保持状態とするランプ仮保持用ばね３０を設けることにより、ランプ装着作業時の中途半端な装着によるランプ落下の危険性をなくすことができる。
【００３９】
またランプ口金５の弾性変形ばね３ｃと一体に形成された係止用凸部３ａが使用時に万一破損した場合でもランプ支持ばね３１で片口金ランプ４を保持できるので安全である。
【００４０】
しかも片口金ランプ４が装着完了した位置でランプ支持ばね３１がランプ保持部２に当接して外れ防止するため、ランプピン９とランプ端子２８の間の振動や動きが防止でき、振動が加わる場所での使用においても、接触信頼性が向上する。
【００４１】
本発明の第２の実施の形態を図１３から図１８により説明する。すなわち、第１の実施の形態において、ランプ支持ばね３１およびランプ仮保持用ばね３０を一体に含む板ばねに代えて、ランプ仮保持用ばね３０でワット識別兼用溝８の回転用溝８ｂに係合するものである。
【００４２】
このランプ仮保持用ばね３０は略コ字形に折曲された板ばね４ｂの中央部に取付孔４４を形成し、片口金ランプ用ソケット１のカバー１２の中央部に突設したかしめ突起４５にコールドかしめにより固定し、両端片が凹部１３の内周壁の突起１５に隣接するスリットを通して凹部１３内に臨み、先端に対向方向に突出する係止部４６ａを屈曲し、係止部４６ａが、凹部１３に差し込まれた柱状突起１５の回転用溝８ｂに係合する。また第１の実施の形態の連結片１８に代えてカバー１２に係止爪４７を突設し、ボディ１１の内周面に爪受け部（図示せず）を形成し、カバー１２でボディ１１の下面開口を閉じることにより係止爪４７が爪受け部に係止する。なお、回転用溝８ｂは係止部４６ａが係合する分周方向の長さが長くなっている。
【００４３】
図１５は片口金ランプ４の挿入前の状態、図１６は柱状突起７が凹部１３に挿入される途中の状態である。このときワット識別兼用突起１５とワット識別兼用溝８の位置や幅寸法等の関係が合っていれば挿入可能となる。図１７は挿入が完了した状態である。このときランプピン９がランプピン挿入孔１４に挿入されるとともに、係止部４６ａが回転用溝８ｂに係合し、片口金ランプ４がランプ仮保持用ばね３０に仮保持される。図１８は片口金ランプ４を回転してランプ保持部２が保持部受け部１６に嵌合した状態である。このとき、ランプピン９がランプ端子２８に挟持され、回転位置決め部３が位置決め受け部１７に係合し、ランプ仮保持用ばね３０は回転用溝８ｂに係合したままである。このため、片口金ランプ４は回転方向と反対方向の回転に対して摩擦抵抗を有する。
【００４４】
片口金ランプ４を外す場合は上記と逆の手順を行う。
【００４５】
なお、本発明において、溝８を片口金ランプ４側に設け、突起１５を片口金ランプ用ソケット１側に設けたが反対でもよい。またランプ保持用溝部２ａを片口金ランプ４側に設けランプ保持用溝部２ａに片口金ランプ用ソケット１側のランプ保持部受け部１６が嵌まるようにしたが、ランプ保持用溝部２ａを片口金ランプ用ソケット１側に設け片口金ランプ４側のランプ保持部２がランプ保持用溝部２ａに嵌まるように構成することは可能である。回転位置決め部３の係止用凸部３ａおよび弾性変形ばね３ｃを片口金ランプ４側に設け、突起１７ｂを片口金ランプ用ソケット１側に設けたが反対でもよい。さらに連結片１８によるボディ１１とカバー１２の連結手段は上記実施の形態の構成に限らない。
【図面の簡単な説明】
【００４６】
【図１】本発明の第１の実施の形態の斜視図である。
【図２】片口金ランプ用ソケットの分解斜視図である。
【図３】（ａ）は片口金ランプを装着前の斜視図、（ｂ）片口金ランプを差し込んだ状態の斜視図である。
【図４】（ａ）は片口金ランプの仮保持状態の斜視図、（ｂ）片口金ランプを回転して装着完了した状態の斜視図である。
【図５】（ａ）は片口金ランプの装着前の斜視図、（ｂ）はそのｃ−ｃ線断面図である。
【図６】（ａ）は片口金ランプの差し込み途中の状態の斜視図、（ｂ）はそのｄ−ｄ線断面図である。
【図７】（ａ）は片口金ランプの差し込み状態の斜視図、（ｂ）はそのｅ−ｅ線断面図である。
【図８】（ａ）は片口金ランプの仮保持状態の斜視図、（ｂ）はそのｆ−ｆ線断面図である。
【図９】（ａ）は片口金ランプの装着完了状態の斜視図、（ｂ）はそのｇ−ｇ線断面図である。
【図１０】片口金ランプ用ソケットの平面図である。
【図１１】（ａ）はランプ端子の並び方向と直交する方向の片口金ランプのがたつきを矢印で説明するランプ装着状態の正面図、（ｂ）はそのａ−ａ線断面図である。
【図１２】（ａ）はランプ端子の並び方向の片口金ランプのがたつきを矢印で説明するランプ装着状態の正面図、（ｂ）はそのｂ−ｂ線断面図である。
【図１３】（ａ）は本発明の第２の実施の形態の片口金ランプの斜視図、（ｂ）は片口金ランプの斜視図である。
【図１４】（ａ）は仮保持用ばねの取付状態を示す片口金ランプ用ソケットの斜視図、（ｂ）はその分解斜視図である。
【図１５】（ａ）は片口金ランプの装着前の状態の片口金ランプ用ソケットの底面側からみた底面図、（ｂ）はそのｈ−ｈ線断面図である。
【図１６】（ａ）は片口金ランプの差し込み途中の状態の片口金ランプ用ソケットの底面側からみた底面図、（ｂ）はそのｉ−ｉ線断面図である。
【図１７】（ａ）は片口金ランプの仮保持状態の片口金ランプ用ソケットの底面側からみた底面図、（ｂ）はそのｊ−ｊ線断面図である。
【図１８】（ａ）は片口金ランプの装着完了状態の片口金ランプ用ソケットの底面側からみた底面図、（ｂ）はそのｋ−ｋ線断面図である。
【図１９】（ａ）は従来例の片口金ランプ用ソケットの平面図、（ｂ）はその正面図である。
【図２０】（ａ）はその片口金ランプの口金の底面図、（ｂ）はその部分側面図である。
【符号の説明】
【００４７】
１    片口金ランプ用ソケット
２    ランプ保持部
３    回転位置決め部
４    片口金ランプ
７    柱状突起
８    溝
８ａ    差し込み用溝
８ｂ    回転用溝
９    ランプピン
１１    ボディ
１２    カバー
１３    凹部
１４    ランプピン挿入孔
１５    突起
１６    保持部受け部
１７    位置決め部受け部
１８    連結片
２８    ランプ端子
３０    ランプ仮保持用ばね
３１    ランプ支持ばね
３２    段部
【図１】
2005310393.tif 000003
【図２】
2005310393.tif 000004
【図３】
2005310393.tif 000005
【図４】
2005310393.tif 000006
【図５】
2005310393.tif 000007
【図６】
2005310393.tif 000008
【図７】
2005310393.tif 000009
【図８】
2005310393.tif 000010
【図９】
2005310393.tif 000011
【図１０】
2005310393.tif 000012
【図１１】
2005310393.tif 000013
【図１２】
2005310393.tif 000014
【図１３】
2005310393.tif 000015
【図１４】
2005310393.tif 000016
【図１５】
2005310393.tif 000017
【図１６】
2005310393.tif 000018
【図１７】
2005310393.tif 000019
【図１８】
2005310393.tif 000020
【図１９】
2005310393.tif 000021
【図２０】
2005310393.tif 000022